(57)【特許請求の範囲】
【請求項１】
開口を有した筐体と、
前記開口から露出し接続部材を接続可能なコネクタと、
前記コネクタと前記開口との隙間の少なくとも一部を覆い前記コネクタと電気的に接続されたケーブルと、
前記筐体に収納され前記コネクタ及びケーブルが電気的に接続されたプリント基板と、を備え、
前記コネクタは、前記接続部材を接続可能な接続口を有し、前記プリント基板の一方の面に実装され、
前記隙間は、前記コネクタに前記接続部材を接続する際の接続方向での前記接続口よりも手前に位置し、
前記ケーブルの一端は、前記プリント基板の他方の面に設けられた接続部に接続され、
前記ケーブルは、前記プリント基板の前記他方の面側から前記隙間の少なくとも一部を覆う、電子装置。
【請求項２】
前記プリント基板に設けられ前記ケーブルが接続された接続部から前記隙間までの距離は、前記接続部材を前記コネクタに接続する際の接続方向での前記接続部材の全長よりも短い、請求項１の電子装置。
【請求項３】
前記ケーブルは、前記接続部から前記プリント基板と平行に突出している、請求項２の電子装置。
【請求項４】
前記ケーブルは、単一のケーブル、複数のケーブル、フラットケーブル、フレキシブルフラットケーブル、のうち少なくとも一つを含む、請求項１乃至３の何れかの電子装置。
【発明の詳細な説明】
【技術分野】
【０００１】
本発明は、表示装置に関する。
【背景技術】
【０００２】
電子装置には、コネクタが設けられている。特許文献１には、このようなコネクタを備えた電子装置が記載されている。
【先行技術文献】
【特許文献】
【０００３】
【特許文献１】特開２０１１‐１１８７６６号公報
【発明の概要】
【発明が解決しようとする課題】
【０００４】
このようなコネクタは、電子装置の筐体に形成された開口から露出するように設けられている場合がある。コネクタと開口とに隙間がある場合、コネクタに接続部材を接続する際に誤って隙間に接続部材を挿入してしまうおそれがある。
【０００５】
本発明は、コネクタに接続部材を接続する作業性が向上した電子装置を提供することを目的とする。
【課題を解決するための手段】
【０００６】
本明細書に開示の電子装置は、開口を有した筐体と、前記開口から露出し接続部材を接続可能なコネクタと、前記コネクタと前記開口との隙間の少なくとも一部を覆い前記コネクタと電気的に接続されたケーブルと、前記筐体に収納され前記コネクタ及びケーブルが電気的に接続されたプリント基板と、を備え、前記コネクタは、前記接続部材を接続可能な接続口を有し、前記プリント基板の一方の面に実装され、前記隙間は、前記コネクタに前記接続部材を接続する際の接続方向での前記接続口よりも手前に位置し、前記ケーブルの一端は、前記プリント基板の他方の面に設けられた接続部に接続され、前記ケーブルは、前記プリント基板の前記他方の面側から前記隙間の少なくとも一部を覆っている。
【発明の効果】
【０００７】
コネクタに接続部材を接続する作業性が向上した電子装置を提供できる。
【図面の簡単な説明】
【０００８】
【図１】図１は、本実施例のノート型コンピュータの説明図である。
【図２】図２は、一方の筐体をリアケース側から見た図である。
【図３】図３は、フロントケース側から見た筐体の分解斜視図である。
【図４】図４は、リアケース側から見た筐体の分解斜視図である。
【図５】図５は、筐体の断面図である。
【図６】図６は、図５の拡大図である。
【図７】図７Ａ、７Ｂは、コネクタへのメモリカードの接続作業の説明図である。
【発明を実施するための形態】
【０００９】
ノート型コンピュータを電子装置の一例として説明する。図１は、本実施例のノート型コンピュータ１の説明図である。ノート型コンピュータ１は、筐体１０、２０を有している。筐体１０、２０は、２軸ヒンジＨにより開閉可能及び回転可能に連結されている。筐体１０には、画像を表示するディスプレイＤが設けられている。ディスプレイＤはタッチパネル機能を有している。筐体２０は、フロントケース（以下、ケースと称する）２０Ｆ、リアケース（以下、ケースと称する）２０Ｒを含む。ケース２０Ｆには、ノート型コンピュータ１を操作するためのキーボードＫが設けられている。ケース２０Ｒには、外部装置を接続するためのコネクタ群ＣＧが設けられている。
【００１０】
図２は、筐体２０のケース２０Ｒ側から見た図である。筐体２０のケース２０Ｒ側には、着脱可能なバッテリＢが設けられている。バッテリＢはケース２０Ｒの凹部２２に組みつけられている。ケース２０ＲからバッテリＢを取外すと、コネクタ４０が露出する。詳しくは後述するがケース２０Ｒに設けられた開口を介してコネクタ４０が露出している。また、この開口を確定する開口周辺の周辺部２３が形成されている。周辺部２３は、コネクタ４０の接続口の手前に位置している。コネクタ４０の詳細については後述する。
【００１１】
図３は、ケース２０Ｆ側から見た筐体２０の分解斜視図である。筐体２０内には、半導体チップ等が実装されたマザーボード３０、半導体チップの熱を放熱するためのラジエータＲやファンＦ、ハードディスクＨＤ、記録媒体を再生可能なプレイヤーＰＲが配置されている。また、筐体２０内にはコネクタ群ＣＧを実装したＰが配置されている。フラットケーブル５０の一端は、マザーボード３０に設けられたケーブルコネクタ（以下、コネクタと称する）Ｃ１に接続されて、フラットケーブル５０とマザーボード３０とは電気的に接続されている。コネクタＣ１は接続部の一例である。フラットケーブル５０は、ケーブルの一例である。フラットケーブル５０は、複数のケーブルが接合されている。
【００１２】
図４は、ケース２０Ｒ側から見た筐体２０の分解斜視図である。凹部２２には、コネクタ４０を露出するための開口２４が形成されている。コネクタ４０は、マザーボード３０に実装されている。フラットケーブル５０の他端は、Ｐに設けられたケーブルコネクタ（以下、コネクタと称する）Ｃ２に接続され、フラットケーブル５０とＰとは電気的に接続されている。これにより、マザーボード３０とＰとはフラットケーブル５０を介して電気的に接続されている。また、筐体２０の基端側にはディスプレイＤのタッチパネルを操作するためのタッチペンＴＰが収納されている。マザーボード３０には、メモリＭが実装されている。
【００１３】
図５は、筐体２０の断面図である。マザーボード３０は、ケース２０Ｆに対向する面３２Ｆ、ケース２０Ｒに対向する面３２Ｒを含む。コネクタＣ１は面３２Ｆ側に実装され、コネクタ４０は面３２Ｒ側に実装されている。コネクタ４０には、メモリカードＭＣが接続されている。メモリカードＭＣは、カード状の記憶媒体である。メモリカードＭＣは、コネクタ４０に着脱可能である。
【００１４】
図６は、図５の拡大図である。コネクタ４０内は、メモリカードＭＣと電気的に接続されるコンタクト部４４が形成されている。図６に示すように、コネクタ４０と開口２４との間、換言すればコネクタ４０が実装されているマザーボード３０と開口２４との間に隙間ＣＲが形成されている。開口２４は、コネクタ４０やマザーボード３０との接触を防止するために、各部材の寸法公差や成型精度のバラつきなどを考慮してあらかじめ大きめに形成されている。このため、隙間ＣＲが形成される。フラットケーブル５０は、隙間ＣＲを覆うように延在している。
【００１５】
次に、コネクタ４０へのメモリカードＭＣの接続作業について説明する。図７Ａ、７Ｂは、コネクタ４０へのメモリカードＭＣの接続作業の説明図である。ユーザは、筐体２０からバッテリＢを取外して、コネクタ４０を露出させる。コネクタ４０は、メモリカードＭＣを接続する際に挿入される接続口４６を有している。図７Ａに示すように、ユーザは、接続口４６を介してコネクタ４０内にメモリカードＭＣを挿入する。これにより、コネクタ４０にメモリカードＭＣが接続される。
【００１６】
隙間ＣＲは、メモリカードＭＣの接続方向ＩＤで接続口４６よりも手前に位置する。従って、コネクタ４０にメモリカードＭＣを接続する際に、ユーザが誤ってメモリカードＭＣを隙間ＣＲに挿入してしまうおそれがある。特に、メモリカードＭＣにより周辺部２３が押された場合、ケース２０Ｒは合成樹脂製であり周辺部２３は薄いため周辺部２３が弾性変形して隙間ＣＲが拡大する場合がある。このような場合には、図７Ｂに示すように隙間ＣＲへのメモリカードＭＣの挿入が助長される。メモリカードＭＣが隙間ＣＲを介して筐体２０内に挿入されると、筐体２０内からメモリカードＭＣを取り出すことが困難になるおそれがある。また、隙間ＣＲを介してメモリカードＭＣが深く挿入されることにより、周辺の部材やメモリカードＭＣに傷をつけるおそれがある。本実施例の場合、フラットケーブル５０がこの隙間ＣＲを覆っている。このため、メモリカードＭＣが隙間ＣＲに挿入された場合であってもメモリカードＭＣがフラットケーブル５０と干渉する。これにより、隙間ＣＲを介してメモリカードＭＣが筐体２０内の奥まで挿入されることが防止される。これにより、コネクタ４０にメモリカードＭＣを接続する作業性が向上している。尚、接続方向ＩＤとは、メモリカードＭＣをコネクタ４０に接続するためにメモリカードＭＣを移動させる方向である。
【００１７】
また、コネクタＣ１から隙間ＣＲまでの長さＬ１は、メモリカードＭＣをコネクタ４０に接続する際の接続方向ＩＤでのメモリカードＭＣの全長Ｌ２よりも短い。このような位置にコネクタＣ１が設けられていることにより、誤って隙間ＣＲにメモリカードＭＣを挿入した場合であっても、メモリカードＭＣの全体が隙間ＣＲを介して筐体２０内に挿入される前にフラットケーブル５０がメモリカードＭＣに干渉する。これにより、メモリカードＭＣ全体が隙間ＣＲを介して筐体２０内に挿入されてしまうことが防止されている。
【００１８】
また、フラットケーブル５０はコネクタＣ１からマザーボード３０と平行に突出している。このため、フラットケーブル５０がコネクタＣ１からマザーボード３０に垂直に突出している場合と比較して、フラットケーブル５０が撓んでメモリカードＭＣが隙間ＣＲに深く挿入されることを防止している。また、筐体２０全体の厚みが増大することを抑制している。尚、コネクタＣ１からのフラットケーブル５０の突出方向はこれに限定されない。
【００１９】
また、可撓性を有したフラットケーブル５０がメモリカードＭＣの隙間ＣＲへの誤挿入を防止するため、メモリカードＭＣに傷をつけることも防止される。
【００２０】
上記実施例では、ケーブルの一例としてフラットケーブル５０を説明したが、ケーブルは単一のケーブルのみやフレキシブルプリントケーブルであってもよい。また、ケーブルは、隙間ＣＲの少なくとも一部を覆っていればよい。隙間ＣＲの一部がケーブルに覆われていれば、メモリカードＭＣを隙間ＣＲに挿入した場合にメモリカードＭＣがケーブルに干渉するからである。従って、たとえば、ケーブルが単一のケーブルの場合、ケーブルの太さが隙間の大きさよりも小さくてもよい。
【００２１】
上記実施例では、コネクタ４０をコネクタの一例として、メモリカードＭＣをコネクタに接続可能な接続部材の一例として説明したが、コネクタ及び接続部材はこれに限定されない。たとえば、接続部材は、記憶媒体に限定されない。たとえば、接続部材は、本実施例の電子装置に他の装置を接続するケーブルの先端に設けられたコネクタであってもよい。このようなケーブルの先端に設けられたコネクタが上述の隙間に挿入された場合、このコネクタや周辺の部材に傷をつける可能性があり作業性が悪化するおそれがあるからである。
【００２２】
コネクタ４０にはメモリカードＭＣの大部分が挿入されるが、コネクタ、コネクタに接続される接続部材はこのようなものに限定されない。たとえば、接続部材の先端部のみがコネクタに接続されるものであってもよい。また、ＵＳＢコネクタや、光コネクタ、同軸コネクタ、電力用のコネクタ、充電用のコネクタ等であってもよい。
【００２３】
上記実施例では、コネクタ４０の接続口４６と開口２４の縁との距離よりも、マザーボード３０の縁と開口２４の縁との間の距離のほうが小さい。即ち、コネクタ４０よりもマザーボード３０の方が開口２４の縁に近い。しかしながら、このような位置関係に限定されない。たとえば、マザーボード３０が開口２４の縁から離れており、コネクタ４０の接続口４６がマザーボード３０から外側に突出し、マザーボード３０よりもコネクタ４０の方が開口２４の縁に近くてもよい。この場合においても、隙間が形成され得るからである。
【００２４】
コネクタ４０が設けられている位置は、バッテリＢのように他の部材に覆われた位置に限定されない。たとえば、常に露出されるようにコネクタが設けられていてもよい。
【００２５】
コネクタ４０へのメモリカードＭＣの接続方向は、コネクタ４０が実装されたマザーボード３０に平行な方向であるがこれに限定されない。たとえば、プリント基板に対して垂直方向に接続可能なコネクタであってもよい。
【００２６】
上記実施例においては、電子装置の一例としてノート型コンピュータを例に説明したが、電子装置はそれ以外であってもよい。電子装置は、例えばタブレット型コンピュータ、携帯電話、携帯テレビ、電子辞書、ＰＤＡ、ゲーム機、カメラ、音楽プレイヤー、ナビゲーション装置、腕時計等の携帯装置であってもよい。また、電子装置は、例えばデスクトップ型のコンピュータ、モニタ、コンピュータを内蔵したモニタ、テレビ、オーディオ、その他の家電装置等の据置き型の装置であってもよい。
【００２７】
以上本発明の好ましい一実施形態について詳述したが、本発明は係る特定の実施形態に限定されるものではなく、特許請求の範囲に記載された本発明の要旨の範囲内において、種々の変形・変更が可能である。
【符号の説明】
【００２８】
１  ノート型コンピュータ（電子装置）
２０  筐体
２０Ｆ  フロントケース
２０Ｒ  リアケース
２３  周辺部
２４  開口
３０  マザーボード（プリント基板）
４０  コネクタ
５０  ケーブル
ＣＲ  隙間
Ｃ１  ケーブルコネクタ（接続部）
【図１】
0005930529.tif 000002
【図２】
0005930529.tif 000003
【図３】
0005930529.tif 000004
【図４】
0005930529.tif 000005
【図５】
0005930529.tif 000006
【図６】
0005930529.tif 000007
【図７】
0005930529.tif 000008